(57)【要約】  配線／ケーブリング用途で用いるためのシールドコネクタアセンブリが開示される。コネクタアセンブリには、異なるコンタクトレイアウト／配列を特徴とするプラグ間の相互作用を容易にする第１および第２のジャック開口部が含まれる。ケーブルが、シールドツイストペア、完全なシールドツイストペア、および非シールドツイストペアワイヤを特徴とするケーブル／プラグ組み合わせがまた提供される。ケーブル／プラグインタフェースにはハウジングが含まれるが、このハウジングでは、個別ワイヤが、ハウジングの外部に露出された電気コンタクトと電気通信する。電気コンタクトは、プラグがＩＥＣ６０６０３−７−７規格に記載のコンタクトジオメトリに準拠するように、断面図で見ると、プラグハウジングの象限に配置される。ケーブル／プラグは、一般に、予め終端されたアセンブリであり、それによって、プラグは、敷設場所または流通経路への出荷の前に、ケーブルに予め取り付けられる。
2010527117.tif 000002
【特許請求の範囲】
【請求項１】
ａ．第１のジャック開口部および第２のジャック開口部を画定するハウジングと、
ｂ．前記第１のジャック開口部に配置された第１の複数の電気コンタクトであって、第１のコンタクトレイアウトジオメトリに従って配置された前記第１の複数の電気コンタクトと、
ｃ．前記第２のジャック開口部に配置された第２の複数の電気コンタクトであって、前記第１のコンタクトレイアウトジオメトリとは異なる第２のコンタクトレイアウトジオメトリに従って配置された前記第２の複数の電気コンタクトと、
を含むコネクタアセンブリであって、
前記第１の複数における各電気コンタクトが、前記第２の複数における少なくとも１つの電気コンタクトと電気的に導通し、前記第２の複数における各電気コンタクトが、前記第１の複数における少なくとも１つの電気コンタクトと電気的に導通するコネクタアセンブリ。
【請求項２】
前記ハウジングが、第１および第２のハウジング構造によって画定される、請求項１に記載のコネクタアセンブリ。
【請求項３】
前記第１および第２のハウジング構造が、互いに対してラッチされて前記ハウジングを画定する、請求項２に記載のコネクタアセンブリ。
【請求項４】
前記第１のコンタクトレイアウトジオメトリがＲＪ−４５構成である、請求項１に記載のコネクタアセンブリ。
【請求項５】
前記第２のコンタクトレイアウトジオメトリが、ＩＥＣ６０６０３−７−７規格によって定義される構成に対応する、請求項１に記載のコネクタアセンブリ。
【請求項６】
前記ハウジング内に配置されたコンタクトサブアセンブリをさらに含む、請求項１に記載のコネクタアセンブリ。
【請求項７】
前記コンタクトサブアセンブリが、複数のコンタクト支持部材を支持する、請求項６に記載のコネクタアセンブリ。
【請求項８】
各コンタクト支持部材が、電気コンタクトのペアを含む、請求項７に記載のコネクタアセンブリ。
【請求項９】
前記コンタクトサブアセンブリが、少なくとも１つのコンタクトインサートを支持する、請求項６に記載のコネクタアセンブリ。
【請求項１０】
前記コンタクトサブアセンブリがプリント回路基板を含む、請求項６に記載のコネクタアセンブリ。
【請求項１１】
前記プリント回路基板が、前記第１の複数の電気コンタクトになされる電気接続に対して補償を提供するように構成される、請求項１０に記載のコネクタアセンブリ。
【請求項１２】
前記第１および第２のジャック開口部が反対方向を向いている、請求項１に記載のコネクタアセンブリ。
【請求項１３】
前記ハウジングがパッチパネルアセンブリに取り付けられる、請求項１に記載のコネクタアセンブリ。
【請求項１４】
前記ハウジングに関連する導電性シールドをさらに含む、請求項１に記載のコネクタアセンブリ。
【請求項１５】
前記導電性シールドが、前記ハウジングの両端にわたる接地連続性を確立するために、および電磁妨害に対して前記ハウジングを少なくとも部分的にシールドするために、前記ハウジングの前記第１および第２のジャック開口部間に延びるシールディング延長部を含む、請求項１４に記載のコネクタアセンブリ。
【請求項１６】
前記シールドが、はめ合わせコネクタの対応する構造とのそれぞれの電気接続を形成するために、前記ハウジングにおける前記第１および第２のジャック開口部のそれぞれの輪郭内へ延びるそれぞれの接地タブをさらに含む、請求項１４に記載のコネクタアセンブリ。
【請求項１７】
ａ．複数の第１のジャック開口部および複数の第２のジャック開口部を画定するハウジングと、
ｂ．前記第１のジャック開口部のそれぞれに配置された第１の複数の電気コンタクトであって、第１のコンタクトレイアウトジオメトリに従って配置された前記第１の複数の電気コンタクトと、
ｃ．前記第２のジャック開口部のそれぞれに配置された第２の複数の電気コンタクトであって、前記第１のコンタクトレイアウトジオメトリとは異なる第２のコンタクトレイアウトジオメトリに従って配置された前記第２の複数の電気コンタクトと、
を含むパッチパネルアセンブリ。
【請求項１８】
前記ハウジングに関連する導電性シールドをさらに含む、請求項１７に記載のパッチパネルアセンブリ。
【請求項１９】
前記導電性シールドが、前記ハウジングの両端にわたる接地連続性を確立するために、および電磁妨害に対して前記ハウジングを少なくとも部分的にシールドするために、前記ハウジングの前記第１および第２のジャック開口部間に延びるシールド延長部を含む、請求項１８に記載のパッチパネルアセンブリ。
【請求項２０】
前記シールドが、はめ合わせコネクタの対応する構造とのそれぞれの電気接続を形成するために、前記ハウジングにおける前記第１および第２のジャック開口部のそれぞれの輪郭内へ延びるそれぞれの接地タブをさらに含む、請求項１８に記載のパッチパネルアセンブリ。
【請求項２１】
ａ．ケーブルと、
ｂ．前記ケーブルに取り付けられたプラグと、
ｃ．ｉ）プラグを受け入れるような構成および寸法にされた内部領域と、
ｉｉ）引き輪を画定し、かつ所望の場所への前記予め終端されたケーブルアセンブリのルーティングを容易にするために傾斜面を含む前面延長部と、を含む受け渡し構造と、
を含む予め終端されたケーブルアセンブリ。
【請求項２２】
ａ．（ｉ）第１のジャック開口部および第２のジャック開口部を画定するハウジングと、（ｉｉ）前記第１のジャック開口部に配置された第１の複数の電気コンタクトであって、第１のコンタクトレイアウトジオメトリに従って配置された前記第１の複数の電気コンタクトと、（ｉｉｉ）前記第２のジャック開口部に配置された第２の複数の電気コンタクトであって、前記第１のコンタクトレイアウトジオメトリとは異なる第２のコンタクトレイアウトジオメトリに従って配置された前記第２の複数の電気コンタクトと、を含むコネクタアセンブリと、
ｂ．（ｉ）複数のシールドまたは非シールドツイストペアワイヤを含むケーブル、および（ｉｉ）前記ケーブルに取り付けられたプラグを含む予め終端されたケーブルアセンブリと、
の組み合わせであって、
前記シールドまたは非シールドツイストペアワイヤが、前記ＩＥＣ６０６０３−７−７規格によって定義された構成に対応するコンタクトレイアウトジオメトリに従って配置され、
前記予め終端されたケーブルアセンブリの前記プラグが、前記第１および第２のジャック開口部の１つに挿入され、それによって電気接続を行い、
前記第１の複数における各電気コンタクトが、前記第２の複数における少なくとも１つの電気コンタクトと電気的に導通し、前記第２の複数における各電気コンタクトが、前記第１の複数における少なくとも１つの電気コンタクトと電気的に導通する組み合わせ。
【請求項２３】
前記コネクタアセンブリの前記ハウジングが、導電性シールドをさらに含む、請求項２２に記載の組み合わせ。
【請求項２４】
前記導電性シールドが、前記ハウジングの両端にわたる接地連続性を確立するために、および電磁妨害に対して前記ハウジングを少なくとも部分的にシールドするために、前記ハウジングの前記第１および第２のジャック開口部間に延びるシールド延長部を含む、請求項２３に記載の組み合わせ。
【請求項２５】
前記シールドが、はめ合わせコネクタの対応する構造とのそれぞれの電気接続を形成するために、前記ハウジングにおける前記第１および第２のジャック開口部のそれぞれの輪郭内へ延びるそれぞれの接地タブをさらに含む、請求項２３に記載の組み合わせ。
【発明の詳細な説明】
【技術分野】
【０００１】
本開示は、プラグ部材を含む電気ワイヤ／ケーブル、特に予め終端されたワイヤ／ケーブルと共に用いるためのコネクタアセンブリに関する。本開示は、さらに、非シールドツイストペア（ＵＴＰ）環境において「カテゴリ６Ａ」レベルの性能を提供するように構成されたコネクタアセンブリおよび関連プラグに関する。
【背景技術】
【０００２】
データ通信用途の不断の発展と共に、性能標準および性能要求が、進み続けている。構造化されたケーブリング産業は、カテゴリ３レベルの性能標準／性能要求から、カテゴリ５／５Ｅ、カテゴリ６、およびつい最近ではカテゴリ６Ａの性能標準／性能要求までの進展を経験した。各段階において、ケーブリングおよびコネクタ技術のメーカーは、それらの既存の提供製品におけるデータ通信能力および限界に対処するように要求されてきた。産業の要求を満たす際に最も重要なのは、コネクタアセンブリにおいて遭遇する雑音／漏話の制御／最小化である。雑音／漏話問題は、データ通信周波数が増加するにつれて、より顕著になる。
【０００３】
典型的なコネクタアセンブリには、データ通信接続を達成するために、取り外し可能に係合するように構成されたジャックおよびプラグが含まれる。典型的なＲＪ−４５コネクタアセンブリには、ジャックおよびプラグが含まれ、それらのそれぞれには、所定の並列方向に８つの導体が含まれる。ジャックおよび／またはプラグにおける容量性補償を含む様々な技術が、ジャック／プラグインタフェースにおいて発生される雑音および漏話を制御し／対処するために開発されてきた。雑音／漏話補償は、ジャックおよび／またはプラグに関連するプリント回路基板に導入される補償と同様に、ジャックおよび／またはプラグ内における導体の物理的配置を通じて導入してもよい。
【０００４】
ジャック／プラグの組み合わせを目的とした代替の導体レイアウトが提案された。例えば、Ｌａｓｅｓらの米国特許第６，１６２，０７７号明細書およびＤｅ  Ｗｉｎらの米国特許第６，１９３，５３３号明細書は、雄／雌コネクタ設計を開示しているが、これらの設計では、シールドワイヤペアが、複数の並列コンタクトと共に配置され、追加のコンタクトペアが、雄／雌コネクタハウジングのそれぞれのコーナーに配置される。シールドケーブル用のコンタクト／コンタクトペアの前述の配置は、国際規格ＩＥＣ６０６０３−７−７で具体化され、この規格の内容が、参照によって本明細書に援用されている。言及したＩＥＣ規格は、最大６００ＭＨｚの周波数を用いたデータ伝送のために、８ポジション、ペア・イン・メタル・フォイル（ＰＩＭＦ）シールドの自由および固定コネクタを用いた高速通信用途に適用される。
【０００５】
ケーブル敷設を完了する際に、場所から場所へ、例えば、コンジットを通って、ならびに／または壁の後ろ、天井の上および床の下の空間に、配線／ケーブリングを施すことが一般に必要である。しばしば、ワイヤ／ケーブルは、スプールから送り込まれ、配線ボックスの後部／側部を通って導入され、かつ敷設専門家によって、例えば圧接コネクタ（ＩＤＣ）に対して個々のワイヤを打ち込むことによって終端される。この従来の敷設技術によれば、敷設業者は、敷設時に実行される各配線／ケーブリングの長さを画定し、それによって、柔軟性を維持することができる。しかしながら、終端プロセスは時間がかかり、敷設が完了した後でシステム性能をテスト／確認することが必要である。
【０００６】
代替の敷設技術として、予め終端されたワイヤ／ケーブルを用いて、ポイントツーポイントの配線接続を達成してもよい。予め終端されたワイヤ／ケーブルには、一般に、所定の長さのワイヤ／ケーブルの少なくとも１端部に予め取り付けられたプラグが含まれる。このプラグは、一般に、メーカーによってワイヤ／ケーブルに取り付けられ、ワイヤ／ケーブルと予め取り付けられたプラグとの間のインタフェースにおける性能が、メーカーの品質管理手順の一部として、敷設場所への出荷の前に検査される。敷設プロセス中に、例えば、プラグが敷設チームによってポイントからポイントへ送り込まれるときに、予め取り付けられたプラグを包み込んで保護する装置が開発された。このようにして、ワイヤ／プラグ接続および関連するデータ通信性能への損傷の可能性が最小限にされる。
【０００７】
予め終端されたワイヤ／ケーブルを用いる敷設のために、必要なワイヤ／ケーブルの長さ、タイプおよび色は、一般に、必要な配線／ケーブリングがメーカーに注文される前に決定される。ひとたび長さ計算がなされると、特定の敷設（間違い／柔軟性に対する適切な余裕と共に）用に必要なワイヤ／ケーブルを指定する注文が作成され、メーカーは、指定されたように、終端されたケーブルを予め組み立てる。終端された端部、すなわち予め取り付けられたプラグは、一般に、配線ボックスに入れられ、その中に配置されて後方を向いたジャックに接続されて、配線接続を完了する。前述のジャックは、反対方向を向いたジャックユニット（それぞれが、プラグを自身の内に受け入れるように構成されている）を含むジャックアセンブリの一部であってもよい。したがって、後方を向いたジャックは、一般に、予め終端されたワイヤ／ケーブルに関連する、予め組み立てられたプラグを受け入れ、前方（または外側）を向いたジャックは、一般に、エンドユーザ用途、例えばコンピュータ、プリンタ等に関連するプラグを受け入れる。
【先行技術文献】
【特許文献】
【０００８】
【特許文献１】米国特許第６，１６２，０７７号明細書
【特許文献２】米国特許第６，１９３，５３３号明細書
【発明の概要】
【発明が解決しようとする課題】
【０００９】
今日までの努力にもかかわらず、予め終端された配線／ケーブリング用途のための向上した柔軟性および／または性能を提供するコネクタアセンブリおよび技術の必要性が残っている。また、様々なコンタクトレイアウト／配列を特徴とするプラグ間の相互作用を容易にするコネクタアセンブリおよび技術の必要性が残っている。さらに、非シールドツイストペア（ＵＴＰ）ワイヤ／ケーブルを全体的または部分的に含む環境において、データ通信性能の向上を促進するコネクタアセンブリおよび技術の必要性が残っている。これらや他の必要性は、本明細書に開示するコネクタアセンブリおよび技術によって満たされる。
【課題を解決するための手段】
【００１０】
本開示は、予め終端された配線／ケーブリング用途で用いるためのシールドコネクタアセンブリおよび技術に関する。本開示のシールドコネクタアセンブリおよび技術は、例えば従来の８ポジションＲＪ−４５コンタクトレイアウトを特徴とする第１のプラグ、およびＩＥＣ６０６０３−７−７に従うコンタクトレイアウトを特徴とする第２のプラグなど、異なるコンタクトレイアウト／配列を特徴とするプラグ間の相互作用を容易にする。本開示のシールドコネクタアセンブリおよび技術は、様々なコンタクトレイアウトジオメトリに従って設計／作製されたプラグ間の相互接続を容易にすることによって、データ通信性能の向上を支援する。別の言い方をすれば、本開示のシールドコネクタアセンブリは、従来のＲＪ−４５コンタクトジオメトリを特徴とするケーブリングインフラストラクチャ／プラグと、ＩＥＣ６０６０３−７−７規格に従うコンタクトレイアウトを特徴とする次世代ケーブリングインフラストラクチャ／プラグとの間の互換性を提供する。このようにして、既存のＲＪ−４５ケーブル／プラグ環境との相互運用性を維持しながら、最適なデータ通信性能が達成可能である。
【００１１】
本開示はまた、ケーブルが、完全なシールドツイストペア（ＦＴＰ）、シールドツイストペア（ＳＴＰ）または非シールドツイストペア（ＵＴＰ）ワイヤを特徴とするケーブル／プラグ組み合わせに関する。ケーブル／プラグアセンブリには、プラグ本体が含まれるが、このプラグ本体では、個別ワイヤが、プラグ本体の外部に露出された電気コンタクトと電気通信する。電気コンタクトは、プラグがＩＥＣ６０６０３−７−７規格に述べられたコンタクトジオメトリに準拠するように、断面図で見ると、プラグ本体の象限に配置される。ケーブル／プラグアセンブリは、一般に、予め終端されたアセンブリであり、それによって、プラグは、敷設場所または流通経路への出荷の前に、ケーブルに予め取り付けられる。プラグ本体とケーブルの一部とを受け入れるようなサイズおよび構成にされたキャビティを画定する引き輪アセンブリを提供してもよい。引き輪アセンブリには、例えば、コンジットまたは壁、床もしくは天井の空間を通って、ポイントからポイントへケーブル／プラグアセンブリを引っ張るために、プラグ本体を包むヒンジ付カバーを含んでもよい。
【００１２】
ＩＥＣ６０６０３−７−７コンタクトジオメトリを備えた、本開示の予め終端されたＦＴＰ／ＳＴＰ／ＵＴＰケーブルおよびプラグアセンブリは、シールドジャックアセンブリと係合し、電気的に通信するように有利に構成される。シールドジャックアセンブリは、ジャックアセンブリのペア、例えば反対方向を向いたジャックを含むコネクタと関連付けてもよく、それによって、ケーブル敷設は、促進され容易にされる。
【００１３】
本開示のシールドコネクタ、ケーブル／プラグアセンブリおよび技術の追加的な特徴、機能および利点は、特に添付の図面と共に読めば、次の詳細な説明から明らかになろう。
【００１４】
本開示のコネクタおよびプラグ／ケーブルアセンブリを作製し用いる際に当業者を支援するために、添付の図面が参照される。
【図面の簡単な説明】
【００１５】
【図１】本開示による例示的なコネクタの側面斜視図である。
【図２】本開示による代替の例示的なコネクタの分解斜視図である。
【図３】本開示によるさらなる代替の例示的なコネクタの分解斜視図である。
【図４】本開示による例示的なコネクタの前面図である。
【図５】コネクタにおけるライン５−５に沿って取られた、図４の例示的なコネクタの断面図である。
【図６】本開示の例示的な実施形態による引き輪アセンブリ内に配置されたプラグ／ケーブルアセンブリの側面斜視図である。
【図７】引き輪アセンブリがその閉じた位置へと回転された、図６のプラグ／ケーブルアセンブリの側面斜視図である。
【図８】本開示による例示的なコンタクトペアサブアセンブリの側面斜視図である。
【図９】図８のコンタクトペアサブアセンブリの分解斜視図である。
【図１０】本開示による６つのコネクタを含む分解パッチパネルアセンブリである。
【図１１】本開示による例示的なジャック用のコンタクト配列の前面概略図である。
【図１２】本開示によるコネクタ用の例示的なシールドを含む分解アセンブリである。
【図１３】本開示による例示的なシールドジャックの側面斜視図である。
【図１４】図１３のシールドジャックの第１の端部の立面図である。
【図１５】図１３のシールドジャックの別の側面斜視図である。
【図１６】図１３のシールドジャックにおける反対側の第２の端部の立面図である。
【発明を実施するための形態】
【００１６】
本明細書ではシールドコネクタアセンブリおよびケーブリング／配線技術が開示される。本開示のシールドコネクタアセンブリ／技術は、予め終端された配線／ケーブリング用途において特有の有用性を有するが、しかし本開示は、かかる用途および／またはインプリメンテーションに限定されない。例示的な実施形態では、シールドコネクタアセンブリ−複数の個別シールドコネクタアセンブリを包含するパッチパネルアセンブリを含む−は、様々なコンタクトレイアウト／配列を特徴とするプラグ間の相互作用を容易にする。したがって、例示的なインプリメンテーションでは、コネクタは、従来のＲＪ−４５コンタクトレイアウトを特徴とする第１のプラグと電気的に協働するような構成および寸法にされた第１のジャックと、ＩＥＣ６０６０３−７−７規格と一致するコンタクトレイアウトを特徴とする第２のプラグと電気的に協働するような構成および寸法にされた第２のジャックと、を画定する。
【００１７】
本開示のコネクタアセンブリおよび技術は、様々なコンタクトレイアウトジオメトリに従って設計／作製されたプラグ間の相互接続を容易にすることによって、データ通信性能の向上を支援する。別の言い方をすれば、本開示のコネクタアセンブリは、従来のＲＪ−４５コンタクトジオメトリを特徴とするケーブリングインフラストラクチャ／プラグと、ＩＥＣ６０６０３−７−７規格に従うコンタクトレイアウトを特徴とする次世代ケーブリングインフラストラクチャ／プラグとの間に互換性を提供する。このようにして、既存のＲＪ−４５ケーブル／プラグ環境との相互運用性を維持しながら、最適なデータ通信性能が達成可能である。注目すべきことだが、本開示のコネクタアセンブリ／技術を用いて、ＦＴＰ／ＳＴＰケーブルをＵＴＰケーブルと、ＦＴＰ／ＳＴＰケーブルをＦＴＰ／ＳＴＰケーブルと、またはＵＴＰケーブルをＵＴＰケーブルと接続してもよい。本開示のコネクタアセンブリに関連するジャックに連結されるケーブリングに基づき、必要に応じて、シールディングおよび／または接地が提供される。
【００１８】
図１−５を参照すると、コネクタアセンブリ１０、１００および５００が、概略的に示されている。コネクタアセンブリ１０、１００および５００は、以下でより詳細に説明するように、ハウジング要素を共に連結するために異なるラッチ機構が設けられていることを除いて、構造的および電気的に等価である。最初に図１を参照すると、完全に組み立てられたコネクタアセンブリ１０には、統合されたコネクタハウジングユニットを画定するために、互いにラッチするように構成された第１のハウジング１２および第２のハウジング１４が含まれる。図１の例示的な実施形態では、第１および第２の偏向可能なラッチ部材１８、２０が、第１のハウジング１２の上面から延びている。かかる偏向可能なラッチ部材１８および２０は、第１および第２ハウジングを連結するために、第２のハウジング１４に形成された協働スロットを取り外し可能に係合する。追加のラッチ構造（図示せず）を、第１および第２のハウジング１２、１４上に、例えば、それらの底面に沿って設けて、両者間の取り付けを容易にしてもよい。第２のハウジング１４は、構造または表面、例えば配線ボックス、パッチパネル等に対してコネクタアセンブリ１０の取り付け／位置決めを容易にする直立隆起部１６を画定する。
【００１９】
第１のハウジング１２は、そのフェース２２に第１のジャック開口部２０を画定する。ラベルスロット２３が、フェース２２においてジャック開口部２０の上に画定される。ラベルスロット２３によって、敷設業者は、後で参照するために、コネクタ１０に関連する電気接続部にラベル付けできるようになる。当該技術分野では周知のように、代替ラベリング技術を用いてもよい。第２のジャック開口部（図示せず）が、第２のハウジング１４のフェース２４に形成される。
【００２０】
第１のハウジング１２および第２のハウジング１４は、典型的にはプラスチック材料、例えばポリカーボネートから作製される。第１のハウジング１２および第２のハウジング１４の接地は、一般には必要ではない。なぜなら、コネクタ１０に取り付けられるプラグ／ケーブル組み合わせは、非シールドツイストペア（ＵＴＰ）ワイヤを特徴とするからである。コネクタアセンブリ１０からのシールディングの省略／除去にもかかわらず、当該技術分野では周知のように、特にＩＥＣ６０６０３−７−７コンタクトジオメトリに対するコンタクト／導体の位置決め、および特に従来のＲＪ−４５コンタクトジオメトリ用の補償技術の包含を介して、有利な性能レベルが達成される。
【００２１】
図２を参照すると、代替コネクタアセンブリ１００が、分解されて概略的に示されている。コネクタアセンブリ１００には、第１のハウジング１０２、第２のハウジング１０４、およびコンタクトサブアセンブリ１０６が含まれる。第１のハウジング１０２は、その第１のフェース１１０に第１のジャック開口部１０８を画定する。コンタクト支持部材１１２、１１４、１１６および１１８は、コンタクトサブアセンブリ１０６から延びて、ジャック開口部１０８の外側境界を部分的に画定する。第２のハウジング１０４は、そのフェース１２０にジャック開口部（図示せず）を画定する。コンタクトインサート１２２が、第２のハウジング１０４に形成された後部開口部１２４の中へ達して、第２のハウジング１０４に形成されたジャック開口部の境界を部分的に画定する。プリント回路基板（ＰＣＢ）１２６が、コンタクトインサート１２２と、コンタクト支持部材１１２、１１４、１１６および１１８との間に配置される。ＰＣＢ１２６には、従来の電子要素、例えば、コネクタ１００を横断する電気接続を容易にする、非導電性基材にプリントまたはエッチングされたトレースが含まれる。
【００２２】
図２、８および９を参照すると、コンタクト支持部材１１２、１１４、１１６および１１８のそれぞれには、並列関係の２つのコンタクトが含まれる。次のように、特に図８および９を参照すると、コンタクト支持部材１１２が、より詳細に示されている。コンタクト支持部材１１２、１１４、１１６および１１８のそれぞれが、同じように有利に構成され、それによって、効率的で費用効果的な製造および在庫業務を促進可能であることを理解されたい。コンタクト支持部材１１２には、並列方向の電気コンタクト１３４、１３６を支持するコンタクト支持体１３０およびエンドキャップ１３２が含まれる。コンタクト部材１３４、１３６は、ほぼ同一のジオメトリであり、末端脚部１３８、中間コンタクト領域１４０、および基部ＰＣＢ取り付け機構１４２を含む。コンタクト支持体１３０は、並列チャネル１４４、１４６を画定するが、これらの並列チャネル１４４、１４６は、電気コンタクト１３４、１３６の末端部分を受け入れて末端脚部１３８を支持し、それによって、プラグが第１のハウジング１０２のジャック開口部１０８に挿入された場合に、コンタクト領域１４０が、対応するプラグコンタクトをしっかりと係合することを保証するように構成される。したがって、電気コンタクト１３４、１３６のそれぞれは、プラグによって係合された場合に偏向可能だが、しかしプラグとの有効で信頼できる電気接触をもたらすために直立したままである。
【００２３】
さらに、コンタクト支持体１３０は、迫台面１４８を画定するが、この迫台面１４８は、エンドキャップ１３２における協働迫台面（番号を付さず）と協力して両者間に電気コンタクト１３４、１３６を捕捉するように構成されている。ランプ１５０が、コンタクト支持体１３０上に画定されて、コンタクト領域１４０とＰＣＢ取り付け機構１４２との間の領域で電気コンタクト１３４、１３６を支持する。エンドキャップ１３２は、コンタクト支持体１３０へのエンドキャップ１３２の取り付けを容易にする第１および第２の偏向可能なラッチ延長部１５２、１５４を画定する。エンドキャップ１３２にはまた、下向き延長部１５６が含まれるが、この延長部１５６は、コンタクト支持体１３０に形成された開口部１５７に受け入れられる寸法にされ、かつ電気コンタクト１３４、１３６を互いに離間／分離するように機能し、それによって、それらの適切な電気動作を保証する。
【００２４】
コンタクト支持体１３０にはまた、一般に、第１のハウジング１０２へのコンタクト支持体の取り付けを容易にする様々な構造的機構が含まれる。したがって、例えば、第１および第２の整列チャネル１５８、１６０を、第１のハウジング１０２の内面に成形される対応する機構との相互作用のために、コンタクト支持体１３０の前面１６２に設けてもよい。同様に、コンタクト支持体１３０の側面１６８にリブ１６４、１６６が成形される。リブ１６４、１６６は、第１のハウジング１０２内の隣接する構造に対してコンタクト支持体１３０を離間し／位置付けるように機能してもよい。追加的な構造的機構を、（第１のハウジング１０２と同様に）コンタクト支持体１３０内または上に組み込んで、両者間の相対的位置付けを容易にしてもよく、これは、当業者には容易に明らかになろう。したがって、本開示は、本明細書に開示される例示的な位置付け機構／要素に、またはこれらによって限定されず、当業者に容易に明らかになるであろう代替位置付け機構／要素に及び、かつこれらを包含する。
【００２５】
図２に戻ると、コンタクト支持部材１１２、１１４、１１６および１１８は、電気コンタクト１３４，１３６の隣接端部に形成されたＰＣＢ取り付け機構１４２と、ＰＣＢ１２６に形成された対応する取り付け開口部／スルーホールとの間の相互作用を介して、ＰＣＢ１２６に取り付けられる。したがって、図８および９の例示的な実施形態では、ＰＣＢ取り付け機構１４２には、偏向可能なアイレットが含まれるが、このアイレットは、ＰＣＢ１２６に形成された対応する開口部／スルーホールに挿入され、電気コンタクトをＰＣＢ１２６に固定するように構成される。両者間の固定は、当業者には周知のように、溶接、半田付け、または他の導電性の接着作業を通してさらに確実にしてもよい。当業者には容易に明らかになるように、追加的な取り付け機構および／または構造、例えば接着剤を、エンドキャップ１３２および／またはＰＣＢ１２６に関連させて、両者間の取り付け相互作用をさらに向上させてもよい。
【００２６】
コンタクト支持部材１１２、１１４、１１６および１１８は、ＰＣＢ１２６からほぼ片持ち梁式に延びて、協働プラグ部材との相互作用のために望ましいコンタクトジオメトリを画定するために、互いに離間される。図１１を参照すると、例示的なジャック開口部１０８内のコンタクト配列が、概略的に示されている。したがって、コンタクト支持部材１１２に関連する電気コンタクトのペアは、ワイヤペア１／２に対応し、コンタクト支持部材１１４に関連する電気コンタクトのペアは、ワイヤペア７／８に対応し、コンタクト支持部材１１６に関連する電気コンタクトのペアは、ワイヤペア４／５に対応し、コンタクト支持部材１１８に関連する電気コンタクトのペアは、ワイヤペア３／６に対応する。ジャックハウジング１０８内におけるペアリングおよび離間（ならびにそこに挿入されるジャックの対応するコンタクトペアリングおよび離間）ゆえに、漏話および雑音は、コンタクト支持部材１１２、１１４、１１６および１１８に関連する電気コンタクトと、ジャックハウジング１０８内に挿入されるプラグに関連する対応コンタクトとの間の相互作用に関して、実質的に低減されるかまたは除去される。
【００２７】
図６および７を参照すると、コネクタアセンブリ１００のジャック開口部１０８と組み合わせて用いる例示的なケーブル／プラグアセンブリ３００が概略的に示されている。ケーブル／プラグアセンブリ３００には、ケーブル３０２と、そこに固定して取り付けられたプラグ３０４と、が含まれる。図６および７に示すように、ケーブル／プラグアセンブリ３００は、予め終端されたアセンブリ、すなわち、敷設場所および／または流通経路への出荷に先立ってメーカーによって組み立てられたケーブル／プラグアセンブリを構成する。ケーブル３０２の長さは、一般に、必要な電路に関する敷設業者の決定に基づき、特定の敷設に対して画定される。例えば、敷設業者は、ポイントＡからポイントＢへ達するためには、１００’の長さのプラグ／ケーブルアセンブリが必要であると判断するかもしれない。敷設業者は、この必要性を、（一般に、異なるケーブル長さの複数のプラグ／ケーブルアセンブリ要求を含む、より大きな注文の一部として）予め終端されたプラグ／ケーブルアセンブリのメーカーに伝達することになり、このメーカーが、敷設業者の仕様に合わせてプラグ／ケーブルアセンブリを作製することになろう。
【００２８】
敷設場所では、プラグ／ケーブルアセンブリ３００に関連するプラグ３０４は、コンジットを通って、および／または壁の後ろ、床の下もしくは天井の上の空間を通って所望の場所へ有利に送られる。かかる受け渡しを容易にするために、取り外し可能な受け渡し構造４００を設けて、ケーブル敷設プロセス中にプラグ／ケーブルインタフェースを保護してもよい。例示的な受け渡し構造４００は、ベース４０２およびヒンジ付カバー４０４を含む引き輪アセンブリの形態を取る。ベース４０２およびカバー４０４は、一緒に、プラグ３０４とケーブル３０２の一部とを受け入れる寸法および構成にされたキャビティ４０６を画定する。ほぼ半円形の開口部４０８および４１０は、ベース４０２およびカバー４０４の裏面４１２、４１４にそれぞれ画定される。半円形の開口部４０８および４１０は、ケーブル３０２を受け入れて囲繞する寸法にされたほぼ円形の開口部を協力して画定する。離間され偏向可能なラッチ部材４１６、４１８のペアが、ベース４０２に形成されたラッチスロット４２０、４２２と取り外し可能に係合するために、ヒンジ付カバー４０４に画定される。
【００２９】
所望の場所へのプラグ／ケーブルアセンブリ３００の受け渡しを容易にするために、ベース４０２は、自身の前面に引き輪４３２を画定する、ほぼピラミッド形の前部延長部４３０をさらに画定する。ピラミッド形の前部延長部４３０の傾斜面は、所望の場所へのプラグ／ケーブルアセンブリ３００のルーティングを容易にする。同様に、引き輪４３２は、プラグ／ケーブルアセンブリ３００および受け渡し構造を４００を所望の場所へ引っ張るために用いることができる取り外し可能な牽引部材、例えばケーブル、ワイヤ等と協力するような構成および寸法にされる。受け渡し構造４００に対してプラグ／ケーブルアセンブリ３００のルーティングに関連する牽引力を制限することによって、プラグ３０４およびケーブル３０２間のインタフェースへの潜在的な損傷が、最小限にされ、かつ／または除去される。ひとたびプラグ／ケーブルアセンブリ３００が所望の場所に到達すれば、ラッチ部材４１６、４１８は、協働ラッチスロット４２０、４２２から取り外され、ヒンジ付カバー４０４は、その開いた位置（例えば図６に示す位置）へ回転／旋回される。次に、プラグ／ケーブルアセンブリ３００は、受け渡し構造４００から取り外され、受け渡し構造は、廃棄されるか、可能性がある再使用のために保持される。
【００３０】
さらに図６を参照すると、プラグ３０４には、その上面における露出したコンタクトの２つのペアが含まれることが注目される。図１１に示す例示的なコンタクトジオメトリから明らかなように、受け渡し構造４００においてプラグ３０４のどのフェースが上方を向いているかに依存して、コンタクトペア３２２は、ワイヤペア１／２またはワイヤペア４／５に対応可能であり、一方でコンタクトペア３２０は、ワイヤペア７／８またはワイヤペア３／６に対応可能である。コネクタアセンブリ１００のジャック開口部１０８内に挿入された場合に、コンタクトペア３２０、３２２は、コンタクト支持部材１１２、１１４、またはコンタクト支持部材１１６、１１８における対応するコンタクトペアと電気接触する。場合によっては、追加コンタクトペア（見えていない）が、プラグ３００の反対側に配置され、かつコンタクト支持部材１１２、１１４、またはコンタクト支持部材１１６、１１８に関連する対応するコンタクトを係合するように構成される。
【００３１】
特に注目すべきだが、本開示のプラグ／ケーブルアセンブリ３００は、非シールドツイストペア（ＵＴＰ）ワイヤを含むケーブル３０２に対して有利に形成される。したがって、プラグ３０４内で、ＵＴＰワイヤは、プラグ３０４によって画定された適切なコンタクトペアと電気接触される。ＵＴＰワイヤペア１／２は、コンタクト３２２と有利に電気接触され、一方でワイヤペア７／８は、コンタクト３２０と有利に電気接触される。同様の電気接続が、プラグ３０４に関連する他のＵＴＰワイヤおよびコンタクトに対して達成される。ＵＴＰ配線を特徴とするケーブルが本開示に従って用いられているので、プラグ／ジャックインタフェースに関連するシールディング問題は解消される。
【００３２】
図２に戻ると、コネクタアセンブリ１００にはラッチスロット１７２が含まれるが、このラッチスロット１７２は、第２のハウジング１０４に画定された直立ラッチ１７４を係合するように構成された第１のハウジング１０２に画定される。追加のラッチ構造、例えばラッチ部材１７４を設けて、補助ハウジングおよび／または支持構造（図示せず）に対し、第１および第２のハウジング１０２、１０４の安全な取り付けおよび／またはコネクタアセンブリ１００の安全な取り付けを保証してもよい。
【００３３】
完全に組み立てられると、コネクタアセンブリ１００は、反対方向を向いた第１および第２ジャック開口部を画定する。したがって、図４および５を参照すると、第１のジャック開口部１０８および第２のジャック開口部１８０は、コネクタアセンブリ１００の縦軸に対して反対方向を向いている。コンタクト１８４は、コンタクトインサート１２２から第２のジャック開口部１８０の中へ延び、従来のＲＪ−４５プラグと相互作用するように構成される。したがって、コンタクト１８４は、当業者には周知のように、並列方向にある。コンタクト１８４と従来のＲＪ−４５プラグとの相互作用に関連する雑音／漏話に対処するために、ＰＣＢ１２６には、一般に、かかる雑音／漏話を相殺／補償するように設計された補償機能が含まれる。特にＲＪ−４５環境におけるＰＣＢベースの補償の設計および動作は、当業者には周知である。注目すべきことに、コネクタアセンブリ１００には、第１のハウジング１０２のフェース１１０にラベルリング位置１８２を含んでもよく、かかるラベルリング位置１８２によって、敷設業者は、コネクタアセンブリ１００に関連する接続ポートにラベル付けすることが可能になる。
【００３４】
使用時、特に図５の断面図を参照すると、コネクタアセンブリ１００は、次のような電気接続を提供するのに効果的である。すなわち、ＩＥＣ６０６０３−７−７規格に従って幾何学的に配置されたコンタクトを含む第１のプラグ／ケーブル、つまりかかる第１のプラグを第１のジャック開口部１０８に挿入することによる第１のプラグ／ケーブルと、従来のＲＪ−４５コンタクト配列に従って幾何学的に配置されたコンタクトを含む第２のプラグ／ケーブル、つまりかかる第２のプラグを第２のジャック開口部１８０に挿入することによる第２のプラグ／ケーブルとの間の電気接続を提供するのに効果的である。第１のプラグ／ケーブルは、メーカーによって有利に予め終端され、かつ好ましくはＵＴＰ配線（本開示はまた、ＦＴＰ／ＳＴＰ配線と共に用いてもよいが）を特徴とし、それによって、敷設業者が、敷設場所において、予め終端された第１のプラグ（例えば、図６の例示的なプラグ３０４）を第１のジャック開口部１０８に入れることができるようにする。実際に、本開示の好ましいインプリメンテーションでは、コネクタ１００は、配線ボックス（例えば、適切なハウジング構造と共に）に配置され、予め終端されたプラグ３０４は、敷設プロセスの一部として、かつワイヤの打ち込み、配線性能のテスト等の必要なしに、かかる配線ボックス（例えば単一のギャングボックス）内のジャック開口部１０８に導入される。
【００３５】
第２のプラグ（図示せず）は、例えばエンドユーザが第２のジャック開口部に挿入して、電気回路を完成してもよい。したがって、第２のジャック開口部は、コンピュータ、ラップトップ、プリンタまたは他のコンポーネントに関連するＲＪ−４５プラグを受け入れてもよい。補償は、例えばＰＣＢ１２６によってかかる電気回路に導入され、第２のジャック開口部１８０によってもたらされる、ＲＪ−４５接続に関連する雑音／漏話を補償する。
【００３６】
コネクタ１００は、優れた電気性能を提供し、ＲＪ−４５およびＩＥＣ６０６０３−７−７技術の現場での組み合わせに対応し、かつ例えばＦＴＰ／ＳＴＰおよび／またはＵＴＰ環境において、予め終端されたジャックアセンブリの使用／インプリメンテーションを容易にする。必要に応じて、コネクタアセンブリのＲＪ−４５態様に関連する雑音／漏話に対処するために補償が提供されるのに対して、コネクタアセンブリのＩＥＣ６０６０３−７−７態様に対する補償は不必要である。同様に、ＵＴＰ配線のインプリメンテーションおよび使用によって、コネクタアセンブリのＩＥＣ６０６０３−７−７態様に対するシールディング構造および／または機能の必要性が回避される。
【００３７】
図３を参照すると、代替コネクタアセンブリ５００が、本開示に従って概略的に示されている。本明細書で説明するコネクタアセンブリ１０および１００のように、コネクタアセンブリ５００には、第１のハウジング５０２、第２のハウジング５０４、およびコンタクトサブアセンブリ５０６が含まれる。コネクタアセンブリ５００の個別コンポーネントおよび機能は、コネクタアセンブリ２００に関して説明したそれらと同等であるが、ただし第２のハウジング５０４に対する第１のハウジング５０２のラッチングが、第２のハウジング５０４に形成されたラッチスロット５７４を係合するように構成された、第１のハウジング５０２に形成されて中央に位置する偏向可能なラッチ部材５７２を用いて達成されることを除いて同等である。コネクタアセンブリ５００の設計、動作および機能的／構造的利点は、コネクタアセンブリ１０および１００に関して本明細書で説明するそれらに対応する。
【００３８】
図１０を参照すると、本開示のさらに有利なインプリメンテーションが概略的に示されている。パッチパネルアセンブリ６００には、並列配置の複数（６）のポート６０３を含む第１のハウジング６０２が含まれる。各ポート６０３は、プラグを受け入れるための第１のジャック開口部６０８を画定する。第２のハウジング６０４には、対応する並列配置の複数（６）のポート６０５が含まれ、各ポート６０５は、第２のジャック開口部６８０を画定する。コンタクトサブアセンブリ６０６には、ジャック開口部６８０中へ導入するための複数（６）のコンタクトインサート６２２が含まれる。コンタクトインサート６２２は、コンタクト支持部材６１２、６１４、６１６、６１８のセット（６）であるが、ＰＣＢ６２６に取り付けられる。ラッチ構造６７２が、第１のハウジング６０２に設けられて、第２のハウジング６０４への第１のハウジング６０２の取り付けを容易にする（コンタクトサブアセンブリ６０６が、第２のハウジング内にかまたは第１および第２のハウジング間に配置される）。
【００３９】
当業者には容易に明らかになるように、パッチパネルアセンブリ６００は、コネクタアセンブリ１０、１００、５００に関連して本明細書で上記した電気接続技術をパッチパネル環境に拡張する。したがって、ポート組み合わせ６０３、６０５のそれぞれは、本明細書で上記したコネクタアセンブリ１０、１００、５００という意味で、個別コネクタアセンブリとして機能する。ポート６０３のそれぞれは、ＩＥＣ６０６０３−７−７規格に従うコンタクト配列を受け入れ、それと協力するように構成されるのに対して、ポート６０５のそれぞれは、従来のＲＪ−４５コンタクト配列を受け入れ、それと協力するように構成される。パッチパネルアセンブリは、本開示のコネクタアセンブリ１０、１００、５００の構造的および機能的利点を、マルチポート用途に拡張する。代替パッチパネル設計およびジオメトリ、例えば１２ポート、２４ポート、角度のある、および／またはアーチ形のパッチパネルアセンブリ等が、本開示のコネクタアセンブリ技術から利益を得ることができる。さらに、予め終端されたプラグ／ケーブルアセンブリを、本開示のパッチパネルアセンブリ６００（および代替マルチポートアセンブリ）と協力して用いて、それに関連する利益を達成してもよい。
【００４０】
ここで図１２を参照すると、シールド１２００が、本開示の実施形態に従って示されている。シールド１２００は、コネクタアセンブリ、例えば、図１に関連して上記で図示し説明したコネクタアセンブリ１０、図２に関連して上記で図示し説明したコネクタアセンブリ１００、および／または図３に関連して上記で図示し説明したコネクタアセンブリ５００の１つまたは複数を受け入れ、かつ／または囲繞するサイズ、形状、およびさもなければ構成にされたキャビティ１２０２を画定する。シールド１２００には、プラグコネクタを受け入れるための第１の開口部１２０５が形成される第１の端部１２０４、およびプラグコネクタを受け入れるための第２の開口部１２０７が形成される第２の端部１２０６が含まれる。さらに、シールド１２００は、１つまたは複数の適切な材料（例えば、銅ベースの黄銅材料、金属めっきされた材料、ダイカスト材料など、１つまたは複数の適切な導電性および／また金属材料）から形成され、シールド１２００の第１および第２の端部１２０４、１２０６間におけるシールド１２００のキャビティ１２０２内に含まれるコネクタアセンブリを、電磁妨害（ＥＭＩ）からの電気雑音および／または他の影響からシールドするように、かつ／または（例えば関連する予め終端されたケーブル／プラグアセンブリに対して）接地連続性を提供するように、構成される。例えば本開示の実施形態によれば、コネクタアセンブリ（特には図示せず）は、シールド１２００によって画定されたキャビティ１２０２内に含み、かつ／または囲繞してもよく、第１の予め終端されたケーブル／プラグアセンブリ（特には図示せず）は、かかるコネクタアセンブリとの電気的および物理的結合のために第１の開口部１２０５を通して挿入してもよく、第２の予め終端されたケーブル／プラグアセンブリ（特には図示せず）は、かかるコネクタアセンブリとの電気的および物理的結合のために、ならびに／またはかかるコネクタアセンブリを介して、それぞれの第１の予め終端されたケーブル／プラグアセンブリとの関連する電気接続を形成するために、第２の開口部１２０７を通して挿入してもよい。かかる状況では、シールド１２００は、電磁妨害の結果としてかかるコネクタアセンブリ（特には図示せず）内において、別の状況では発生する可能性があるような電気雑音を制限または低減／抑制するために、かつ第１および第２の予め終端されたケーブルプラグアセンブリ間の接地連続性を確立するために、機能してもよい。例えば、シールド１２００は、第１および第２の予め終端されたケーブル／プラグアセンブリの対向するそれぞれのプラグハウジング上に、もしくはプラグハウジングに関連して形成されたそれぞれの外部シールディング構造、および／または自身のそれぞれのケーブル長さを囲繞するかもしくはケーブル長さに関連するそれぞれの細長い軸方向シールディング構造と、別個の電気接続を形成するように機能してもよい。
【００４１】
やはり図１２を参照すると、シールド１２００には、第１の端部１２０４に関連する第１のハウジング部１２０８、および第２の端部１２０６に関連する第２のハウジング部１２１０を含んでもよく、この場合に、第１および第２のハウジング部１２０８、１２１０は、キャビティ１２０２を画定するために、一緒にアセンブリに結合されるように構成される。この点で、第１のハウジング部１２０８には、サイドパネル１２１２のペア、それぞれのかかるサイドパネル１２１２に形成されたスロット１２１４のペア、およびそれぞれのかかるサイドパネルに設けられた直立ラッチ１２１６のペアが含まれ、第２のハウジング部１２１０には、自身のペアとなるサイドパネル１２１２との機能的な相互運用のためのサイズおよび形状にされたサイドパネル１２１８のペアと、自身のペアとなるラッチ１２１６との機能的な相互運用のためのサイズおよび形状にされたスロット１２２０のペアと、自身のペアとなるスロット１２１４との機能的な相互運用のためのサイズおよび形状にされた直立ラッチ１２２２のペアと、が含まれ、全ては、第１および第２のハウジング部１２０８、１２１０を物理的および電気的にしっかりと一緒に結合するように協働的に配置され、キャビティ１２０２用に有利な全体的なジオメトリを画定し、かつ例えば第１および第２の端部１２０４、１２０６間の電気的導通を確立および維持する。
【００４２】
さらに、第１のハウジング部１２０８には、接地タブ１２２４のペアが含まれ、かかるペアの各接地タブ１２２４は、第１の開口部１２０５においてそれぞれ反対側に沿って、第１の端部１２０４に配置される。さらに、第２のハウジング部１２１０には、接地タブ１２２６のペアが含まれ、かかるペアの各接地タブ１２２６は、第２の開口部１２０７においてそれぞれ反対側に沿って、第２の端部１２０６に配置される。接地タブ１２２４、１２２６の構造および機能は、以下でより完全に説明する。
【００４３】
さらに、第１のハウジング部１２０８には、第１の端部１２０４に配置されたラベルスロット１２２８が含まれる。さらに、第２のハウジング部には、第２の端部１２０６に配置されたラベルスロット１２３０が含まれる。ラベルスロット１２２８、１２３０の構造および機能は、以下でより完全に説明する。
【００４４】
ここで本開示の実施形態に従って図１３、１４、１５および１６を参照すると、シールドジャック１３００が示されている。シールドジャック１３００には、シールド１２００、およびシールド１２００内に囲繞されたコネクタアセンブリ１３０２が含まれる。上記のように、コネクタアセンブリ１３０２は、（１）図１に関して上記で図示し説明したコネクタアセンブリ１０、（２）図２に関して上記で図示し説明したコネクタアセンブリ１００、（３）図３に関して上記で図示し説明したコネクタアセンブリ５００、および／または（４）コネクタアセンブリ１０、１００および５００以外の、本開示の実施形態によるコネクタアセンブリ、における任意の１つまたは複数のインプリメンテーションであってもよい。例えば、コネクタアセンブリ１３０２は、図２に関して上記で図示し説明したコネクタアセンブリ１００のインプリメンテーションであってもよく、この場合に、そこに形成される第１のフェース１３０４および第１のジャック開口部１３０６は、シールド１２００の第１の端部と整列され、そこに形成される第２のフェース１３０８および第２のジャック開口部１３１０は、シールド１２００の第２の端部と整列される。
【００４５】
図１３および１４に示すように、第１のハウジング部１２０８の接地タブ１２２４は、第１のジャック開口部１３０６の突出した輪郭内へ延びて、第１のジャック開口部１３０６においてコネクタアセンブリ１３０２に結合されている予め終端されたケーブル／プラグアセンブリ（図示せず）のプラグ部上で、接地タブ１２２４が、プラグとの接地接続を確立するために、ケーブル／プラグアセンブリに関連する対応するシールディング構造と偏向可能に相互作用するために適切に配置されるようにする。図１５および１６に示すように、第２のハウジング部１２１０の接地タブ１２２６は、第２のジャック開口部１３１０の突出した輪郭内へ延びて、第２のジャック開口部１３１０においてコネクタアセンブリ１３０２に結合されている予め終端されたケーブル／プラグアセンブリ（図示せず）のプラグ部上で、接地タブ１２２６が、プラグと接地接続を確立するために、ケーブル／プラグアセンブリに関連する対応するシールディング構造と偏向可能に相互作用するために適切に配置されるようにする。
【００４６】
図１３および１４に示すように、シールドジャック１３００には、ラベル１３１２がさらに含まれ、この場合に、ラベル１３１２は、ラベルスロット１２２８（図１２）を含む固定機構を介し、シールド１２００の第１の端部１２０４において、第１のハウジング部１２０８に取り付けられる。図１５および１６に示すように、シールドジャック１３００には、ラベル１３１４がさらに含まれ、この場合に、ラベル１３１４は、ラベルスロット１２３０（図１２）を含む固定機構を介し、シールド１２００の第２の端部１２０６において、第２のハウジング部１２１０に取り付けられる。
【００４７】
例示的な実施形態およびインプリメンテーションに関連して本開示を説明したが、本開示が、かかる例示的な実施形態および／またはインプリメンテーションに限定も制限もされないことを理解されたい。より正確に言えば、本開示は、その趣旨または範囲から逸脱せずに、様々な修正、拡張および変形を受け入れることができる。実際に、本開示は、本明細書に含まれる開示から、当業者に容易に明らかになるであろうかかる修正、拡張および変形を明確に包含する。
【図１】
2010527117.tif 000003
【図２】
2010527117.tif 000004
【図３】
2010527117.tif 000005
【図４】
2010527117.tif 000006
【図５】
2010527117.tif 000007
【図６】
2010527117.tif 000008
【図７】
2010527117.tif 000009
【図８】
2010527117.tif 000010
【図９】
2010527117.tif 000011
【図１０】
2010527117.tif 000012
【図１１】
2010527117.tif 000013
【図１２】
2010527117.tif 000014
【図１３】
2010527117.tif 000015
【図１４】
2010527117.tif 000016
【図１５】
2010527117.tif 000017
【図１６】
2010527117.tif 000018
【国際調査報告】
2010527117.tif 000019